(57)【要約】  ワイヤレス通信するための方法は、ワイヤレスデバイスにおいて、パケットを生成することを含む。この方法は、複数の受信デバイスへの送信用に、プリアンブルフィールドを備えるパケットを生成することを含み、プリアンブルフィールドは信号（ＳＩＧ）フィールドを備える。方法は、周波数帯域幅の各チャネル用のＳＩＧフィールドの第１の部分の内容を符号化することをさらに含み、第１の部分は、すべての受信デバイスについての情報を備える。方法は、周波数帯域幅の各チャネル用のＳＩＧフィールドの第２の部分の内容を符号化することをさらに含み、第２の部分は１つまたは複数のコードブロックを備え、１つまたは複数のコードブロックは、複数の受信デバイスの各受信デバイスについての情報を含む。
2018532285.tif 000002
【特許請求の範囲】
【請求項１】
ワイヤレス通信の方法であって、
複数の受信デバイスへの送信用に、プリアンブルフィールドを備えるパケットを生成することと、前記プリアンブルフィールドは信号（ＳＩＧ）フィールドを備える、
周波数帯域幅の各チャネル用の前記ＳＩＧフィールドの第１の部分の内容を符号化することと、前記第１の部分は、すべての受信デバイスについての情報を備える、
前記周波数帯域幅の各チャネル用の前記ＳＩＧフィールドの第２の部分の内容を符号化することと、前記第２の部分は１つまたは複数のコードブロックを備え、前記１つまたは複数のコードブロックは、前記複数の受信デバイスの各受信デバイスについての情報を含む、を備える方法。
【請求項２】
前記第１の部分は８ビットを備える、請求項１に記載の方法。
【請求項３】
前記第１の部分は１１ビットを備える、請求項１に記載の方法。
【請求項４】
前記第１の部分のサイズは、周波数帯域幅の各チャネル用の前記周波数帯域幅のサイズ、すなわち、８または１１ビットに基づく、請求項１に記載の方法。
【請求項５】
前記第２の部分は局識別子（ＩＤ）フィールドを備える、請求項１に記載の方法。
【請求項６】
前記局識別子（ＩＤ）フィールドは９または１１ビットを備える、請求項５に記載の方法。
【請求項７】
前記第２の部分は空間多重化および変調フィールドを備える、請求項１に記載の方法。
【請求項８】
前記空間多重化および変調フィールドは１０ビットを備える、請求項７に記載の方法。
【請求項９】
前記第１の部分は、前記第２の部分を符号化するのとは別個に符号化される、請求項１に記載の方法。
【請求項１０】
前記ＳＩＧフィールドは、前記１つまたは複数のコードブロックのうちの最終コードブロックの長さが別のコードブロックの長さと等しくなるようなビットを備えるパディングフィールドをさらに備え、前記周波数帯域幅のチャネル中の前記１つまたは複数のコードブロックすべての全長は、別のチャネル中の前記１つまたは複数のコードブロックすべての全長と同じである、請求項１に記載の方法。
【請求項１１】
前記ＳＩＧフィールドは、前記１つまたは複数のコードブロックのうちの最終コードブロックの長さがＯＦＤＭシンボル境界と整合するようなビットを備えるパディングフィールドをさらに備える、請求項１に記載の方法。
【請求項１２】
前記周波数帯域幅のチャネルの干渉レベルに基づいて前記パケットを選択的に送信することをさらに備える、請求項１に記載の方法。
【請求項１３】
選択的に送信することは、前記周波数帯域幅の２次チャネルの干渉レベルが閾を満足するとき、前記周波数帯域幅の１次チャネル上で前記パケットを送信することを備える、請求項１２に記載の方法。
【請求項１４】
ワイヤレス通信のための装置であって、
プロセッサを備え、前記プロセッサは、
受信デバイスへの送信用に、プリアンブルフィールドを備えるパケットを生成することと、前記プリアンブルフィールドは信号（ＳＩＧ）フィールドを備える、
周波数帯域幅の各チャネル用の前記ＳＩＧフィールドの第１の部分の内容を符号化することと、前記第１の部分は、すべての受信デバイスについての情報を備える、
前記周波数帯域幅の各チャネル用の前記ＳＩＧフィールドの第２の部分の内容を符号化することと、前記第２の部分は１つまたは複数のコードブロックを備え、前記１つまたは複数のコードブロックは、前記複数の受信デバイスの各受信デバイスについての情報を含む、を行うように構成される、装置。
【請求項１５】
前記第１の部分は８ビットを備える、請求項１４に記載の装置。
【請求項１６】
前記第１の部分は１１ビットを備える、請求項１４に記載の装置。
【請求項１７】
前記第１の部分のサイズは前記周波数帯域幅のサイズに基づく、請求項１４に記載の装置。
【請求項１８】
前記第２の部分は局識別子（ＩＤ）フィールドを備える、請求項１４に記載の装置。
【請求項１９】
前記局識別子（ＩＤ）フィールドは９ビットを備える、請求項１８に記載の装置。
【請求項２０】
前記第２の部分は空間多重化および変調フィールドを備える、請求項１４に記載の装置。
【請求項２１】
前記空間多重化および変調フィールドは１０ビットを備える、請求項１４に記載の装置。
【請求項２２】
前記１つまたは複数のコードブロックの各々は２つのユーザブロックを備える、請求項１４に記載の装置。
【請求項２３】
前記ＳＩＧフィールドは、前記１つまたは複数のコードブロックのうちの最終コードブロックの長さが別のコードブロックの長さと等しくなるようなビットを備えるパディングフィールドをさらに備える、請求項１４に記載の装置。
【請求項２４】
前記ＳＩＧフィールドは、前記１つまたは複数のコードブロックのうちの最終コードブロックの長さがＯＦＤＭシンボル境界と整合するようなビットを備えるパディングフィールドをさらに備える、請求項１４に記載の装置。
【請求項２５】
前記プロセッサは、前記周波数帯域幅のチャネルの干渉レベルに基づいて前記パケットを選択的に送信するようにさらに構成される、請求項１４に記載の装置。
【請求項２６】
前記プロセッサは、前記周波数帯域幅の２次チャネルの干渉レベルが閾を満足するとき、前記周波数帯域幅の１次チャネル上で前記パケットを選択的に送信する、請求項２５に記載の装置。
【請求項２７】
ワイヤレス通信のための装置であって、
複数の受信デバイスへの送信用に、プリアンブルフィールドを備えるパケットを生成するための手段と、前記プリアンブルフィールドは信号（ＳＩＧ）フィールドを備える、
周波数帯域幅の各チャネル用の前記ＳＩＧフィールドの第１の部分の内容を符号化するための手段と、前記第１の部分は、すべての受信デバイスについての情報を備える、
前記周波数帯域幅の各チャネル用の前記ＳＩＧフィールドの第２の部分の内容を符号化するための手段と、前記第２の部分は１つまたは複数のコードブロックを備え、前記１つまたは複数のコードブロックは、前記複数の受信デバイスの各受信デバイスについての情報を含む、を備える装置。
【請求項２８】
実行されると、装置にワイヤレス通信の方法を実行させる命令が符号化された、コンピュータ可読媒体を備えるコンピュータプログラム製品であって、前記方法は、
複数の受信デバイスへの送信用に、プリアンブルフィールドを備えるパケットを生成することと、前記プリアンブルフィールドは信号（ＳＩＧ）フィールドを備える、
周波数帯域幅の各チャネル用の前記ＳＩＧフィールドの第１の部分の内容を符号化することと、前記第１の部分は、すべての受信デバイスについての情報を備える、
前記周波数帯域幅の各チャネル用の前記ＳＩＧフィールドの第２の部分の内容を符号化することと、前記第２の部分は１つまたは複数のコードブロックを備え、前記１つまたは複数のコードブロックは、前記複数の受信デバイスの各受信デバイスについての情報を含む、を備える、コンピュータプログラム製品。
【請求項２９】
ワイヤレス通信の方法であって、
複数の受信デバイスへの送信用に、プリアンブルフィールドを備えるパケットを生成することと、前記プリアンブルフィールドは信号（ＳＩＧ）フィールドを備える、
周波数帯域幅の第１のチャネル用の前記ＳＩＧフィールドの第１の部分の内容を符号化することと、前記第１の部分は、すべての受信デバイスについての情報を備える、
前記周波数帯域幅の前記第１のチャネル用の前記ＳＩＧフィールドの第２の部分の内容を符号化することと、前記第２の部分は１つまたは複数のコードブロックを備え、前記１つまたは複数のコードブロックは、前記複数の受信デバイスの各受信デバイスについての情報を含み、前記第１の部分は、前記第２の部分の長さの指示をさらに備える、を備える方法。
【請求項３０】
前記周波数帯域幅の第２のチャネル用の前記ＳＩＧフィールドの第３の部分の内容を符号化することと、前記第３の部分は、すべての受信デバイスについての情報を備える、
前記周波数帯域幅の前記第２のチャネル用の前記ＳＩＧフィールドの第４の部分の内容を符号化することと、前記第４の部分は１つまたは複数のコードブロックを備え、前記１つまたは複数のコードブロックは、前記複数の受信デバイスの各受信デバイスについての情報を含み、前記第３の部分は、前記第４の部分の長さの指示をさらに備える、をさらに備える、請求項２９に記載の方法。
【請求項３１】
ワイヤレス通信の方法であって、
複数の受信デバイスへの送信用に、プリアンブルフィールドを備えるパケットを生成することと、前記プリアンブルフィールドは信号（ＳＩＧ）フィールドを備える、
周波数帯域幅の各チャネル用の前記ＳＩＧフィールドの内容を符号化することと、前記ＳＩＧフィールドは、すべての受信デバイスについての情報を備える第１の部分と、前記複数の受信デバイスのうちの受信デバイスの１つまたは複数の組合せのためのユーザフィールドと巡回冗長検査（ＣＲＣ）フィールドとを備える第２の部分とを備える、を備える方法。
【請求項３２】
前記ＳＩＧフィールドの前記内容を符号化することは、前記第１の部分と前記第２の部分とを同時に符号化することを備える、請求項３１に記載の方法。
【請求項３３】
前記ＣＲＣフィールドは、前記周波数帯域幅の前記チャネルによって異なる、請求項３１に記載の方法。
【発明の詳細な説明】
【技術分野】
【０００１】
[0001]本開示のいくつかの態様は、概してワイヤレス通信に関し、より詳細には、方法および装置ＨＥ−ＳＩＧＢ符号化に関する。
【背景技術】
【０００２】
[0002]多くの電気通信システムでは、通信ネットワークは、いくつかの対話している空間的に離れたデバイス間でメッセージを交換するために使用される。ネットワークは、たとえば、メトロポリタンエリア、ローカルエリア、またはパーソナルエリアであり得る、地理的範囲に従って分類され得る。そのようなネットワークはそれぞれ、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）として指定され得る。ネットワークはまた、様々なネットワークノードとデバイスとを相互接続するために使用される交換／ルーティング技術（たとえば、回線交換対パケット交換）、送信のために採用される物理媒体のタイプ（たとえば、ワイヤード対ワイヤレス）、および使用される通信プロトコルのセット（たとえば、インターネットプロトコルスイート、ＳＯＮＥＴ（同期光ネットワーキング）、イーサネット（登録商標）など）によっても異なる。
【０００３】
[0003]ワイヤレスネットワークは、しばしば、ネットワーク要素がモバイルであり、したがって動的接続性の必要を有するときに、またはネットワークアーキテクチャが、固定ではなくアドホックなトポロジーで形成される場合に好適である。ワイヤレスネットワークは、無線、マイクロ波、赤外線、光などの周波数帯域中の電磁波を使用する非誘導伝搬モードでは、無形物理媒体を採用する。ワイヤレスネットワークは、有利には、固定されたワイヤードネットワークと比較すると、ユーザモビリティと迅速なフィールド展開とを容易にする。
【０００４】
[0004]複数のデバイス間でワイヤレス通信される情報のボリュームおよび複雑さが増加し続けるにつれて、物理レイヤ制御信号に必要なオーバーヘッド周波数帯域幅が少なくとも線形的に増加し続ける。物理レイヤ制御情報を伝達するために利用されるビット数が、必要とされるオーバーヘッドのかなりの部分になっている。したがって、限られた通信リソースでは、特に、トラフィックの複数のタイプが、アクセスポイントから複数の端末に同時に送られるとき、この物理レイヤ制御情報を伝達するために必要とされるビット数を低減することが望ましい。同時に、信号検出の信頼性を向上することが望ましい。したがって、いくつかの送信のための改善されたプロトコルが必要である。
【発明の概要】
【０００５】
[0005]添付の特許請求の範囲内のシステム、方法およびデバイスの様々な実装形態は、それぞれいくつかの態様を有し、それらのうちのいずれの単一の態様も、単独では本明細書で説明される望ましい属性を担わない。添付の特許請求の範囲を限定することなしに、いくつかの顕著な特徴が本明細書で説明される。
【０００６】
[0006]本明細書で説明する主題の１つまたは複数の実装形態の詳細を添付の図面および以下の説明に記載する。他の特徴、態様、および利点は、説明、図面、および特許請求の範囲から明らかになり得る。以下の図の相対寸法は一定の縮尺で描かれていないことがあることに留意されたい。
【０００７】
[0007]一態様は、ワイヤレス通信する方法を提供する。この方法は、複数の受信デバイスへの送信用に、プリアンブルフィールドを備えるパケットを生成することを含み、プリアンブルフィールドは信号（ＳＩＧ）フィールドを備える。方法は、周波数帯域幅の各チャネル用のＳＩＧフィールドの第１の部分の内容を符号化することをさらに含み、第１の部分は、すべての受信デバイスについての情報を備える。方法は、周波数帯域幅の各チャネル用のＳＩＧフィールドの第２の部分の内容を符号化することをさらに含み、第２の部分は１つまたは複数のコードブロックを備え、１つまたは複数のコードブロックは、複数の受信デバイスの各受信デバイスについての情報を含む。
【０００８】
[0008]本開示の別の態様は、ワイヤレス通信する方法を提供する。この方法は、複数の受信デバイスへの送信用に、プリアンブルフィールドを備えるパケットを生成することを含み、プリアンブルフィールドは信号（ＳＩＧ）フィールドを備える。方法は、周波数帯域幅の第１のチャネル用のＳＩＧフィールドの第１の部分の内容を符号化することをさらに含み、第１の部分は、すべての受信デバイスについての情報を備える。方法は、周波数帯域幅の第１のチャネル用のＳＩＧフィールドの第２の部分の内容を符号化することをさらに含み、第２の部分は１つまたは複数のコードブロックを備え、１つまたは複数のコードブロックは、複数の受信デバイスの各受信デバイスについての情報を含み、第１の部分は、第２の部分の長さの指示をさらに備える。
【０００９】
[0009]本開示の別の態様は、ワイヤレス通信する方法を提供する。この方法は、複数の受信デバイスへの送信用に、プリアンブルフィールドを備えるパケットを生成することを含み、プリアンブルフィールドは信号（ＳＩＧ）フィールドを備える。方法は、周波数帯域幅の各チャネル用のＳＩＧフィールドの内容を符号化することをさらに含み、ＳＩＧフィールドは、すべての受信デバイスについての情報を備える第１の部分と、複数の受信デバイスのうちの受信デバイスの１つまたは複数の組合せのためのユーザフィールドと巡回冗長検査（ＣＲＣ）フィールドとを備える第２の部分とを備える。
【００１０】
[0010]本開示の別の態様は、ワイヤレス通信のための装置を提供する。この装置は、受信デバイスへの送信用に、プリアンブルフィールドを備えるパケットを生成するように構成されたプロセッサを含み、プリアンブルフィールドは信号（ＳＩＧ）フィールドを備える。周波数帯域幅の各チャネル用のＳＩＧフィールドの第１の部分の内容を符号化するようにさらに構成されたプロセッサであって、第１の部分は、すべての受信デバイスについての情報を備える。周波数帯域幅の各チャネル用のＳＩＧフィールドの第２の部分の内容を符号化するようにさらに構成されたプロセッサであって、第２の部分は１つまたは複数のコードブロックを備え、１つまたは複数のコードブロックは、複数の受信デバイスの各受信デバイスについての情報を含む。
【００１１】
[0011]追加態様は、ワイヤレス通信のための装置を提供する。この装置は、複数の受信デバイスへの送信用に、プリアンブルフィールドを備えるパケットを生成するための手段を備え、プリアンブルフィールドは信号（ＳＩＧ）フィールドを備える。装置は、周波数帯域幅の各チャネル用のＳＩＧフィールドの第１の部分の内容を符号化するための手段をさらに備え、第１の部分は、すべての受信デバイスについての情報を備える。装置は、周波数帯域幅の各チャネル用のＳＩＧフィールドの第２の部分の内容を符号化するための手段をさらに備え、第２の部分は１つまたは複数のコードブロックを備え、１つまたは複数のコードブロックは、複数の受信デバイスの各受信デバイスについての情報を含む。
【００１２】
[0012]追加態様は、実行されると、装置にワイヤレス通信の方法を実施させる命令が符号化されたコンピュータ可読媒体を備えるコンピュータプログラム製品を提供する。方法は、複数の受信デバイスへの送信用に、プリアンブルフィールドを備えるパケットを生成することを備え、プリアンブルフィールドは信号（ＳＩＧ）フィールドを備える。方法は、周波数帯域幅の各チャネル用のＳＩＧフィールドの第１の部分の内容を符号化することをさらに備え、第１の部分は、すべての受信デバイスについての情報を備える。方法は、周波数帯域幅の各チャネル用のＳＩＧフィールドの第２の部分の内容を符号化することをさらに備え、第２の部分は１つまたは複数のコードブロックを備え、１つまたは複数のコードブロックは、複数の受信デバイスの各受信デバイスについての情報を含む。
【００１３】
[0013]次に、上述の態様、ならびに本技術の他の特徴、態様、および利点が、添付の図面を参照して様々な態様に関して説明される。ただし、図示された態様は、例にすぎず、限定するものではない。図面全体にわたって、同様のシンボルは、一般に、コンテキストが別段に規定しない限り、同様の構成要素を識別する。以下の図の相対寸法は一定の縮尺で描かれていないことがあることに留意されたい。
【図面の簡単な説明】
【００１４】
【図１】[0014]本開示の態様が利用され得るワイヤレス通信システムの例を示す図。
【図２】[0015]図１のワイヤレス通信システム内で利用され得るワイヤレスデバイスにおいて使用され得る様々な構成要素を示す図。
【図３】[0016]ＩＥＥＥ８０２．１１ａｃ規格のための例示的なフレームフォーマットを示す図。
【図４】[0017]ワイヤレス通信を可能にするのに使われ得る物理レイヤパケットの別の例示的な構造を示す図。
【図５Ａ】[0018]ＳＩＧＢフィールドの別の例示的な構造を示す図。
【図５Ｂ】[0019]ＳＩＧＢフィールドの別の例示的な構造を示す図。
【図６】[0020]８０ＭＨｚ周波数帯域幅（ＢＷ）にわたるＳＩＧＢフィールドの別の例示的な構造を示す図。
【図７】[0021]８０ＭＨｚ  ＢＷを介して複数のユーザにＳＩＧＢフィールドを送信するための別の例示的な構造を示す図。
【図８】[0022]周波数ブロックを使って、８０ＭＨｚ  ＢＷを介して複数のユーザにＳＩＧＢフィールドを送信するための別の例示的な構造を示す図。
【図９】[0023]単一のコードブロックを使って、８０ＭＨｚ  ＢＷを介して複数のユーザにＳＩＧＢフィールドを送信するための別の例示的な構造を示す図。
【図１０】[0024]８０ＭＨｚ  ＢＷにおけるチャネルボンディングのための様々なシナリオの図。
【図１１】[0025]ワイヤレス通信の例示的な方法のフローチャート。
【発明を実施するための形態】
【００１５】
[0026]添付の図面を参照して、新規のシステム、装置、および方法の様々な態様が以下でより完全に説明される。ただし、開示される教示は、多くの異なる形態で実施され得、本開示全体にわたって提示されるいずれかの特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の任意の他の態様とは無関係に実装されるか、本発明の任意の他の態様と組み合わされるかにかかわらず、本明細書で開示される新規のシステム、装置、および方法の任意の態様を包含するものであることを、当業者は諒解されたい。たとえば、本明細書に記載する態様をいくつ使っても、装置は実装され得、または方法は実践され得る。加えて、本発明の範囲は、本明細書に記載される本発明の様々な態様に加えて、またはそれ以外の、他の構造、機能、または構造および機能を使用して実践されるそのような装置または方法を包含することが意図される。本明細書で開示する任意の態様が請求項の１つまたは複数の要素によって実施され得ることを理解されたい。
【００１６】
[0027]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図において、および好適な態様についての以下の説明において示す。発明を実施するための形態および図面は、限定的ではなく本開示の例示にすぎず、本開示の範囲は、添付の特許請求の範囲およびその均等物によって定義される。
【００１７】
[0028]ワイヤレスネットワーク技術は、様々なタイプのワイヤレスローカルエリアネットワーク（ＷＬＡＮ）を含み得る。ＷＬＡＮは、広く使われるネットワーキングプロトコルを利用して、近くのデバイスを互いに相互接続するために使用され得る。本明細書で説明する様々な態様は、Ｗｉ−Ｆｉ（登録商標）、またはより一般的には、ワイヤレスプロトコルのＩＥＥＥ８０２．１１ファミリーの任意のメンバーなど、任意の通信規格に適用され得る。たとえば、本明細書で説明する様々な態様は、直交周波数分割多元接続（ＯＦＤＭＡ）通信をサポートする８０２．１１プロトコルなど、ＩＥＥＥ８０２．１１プロトコルの一部として使われ得る。
【００１８】
[0029]いくつかの態様では、ワイヤレス信号は、８０２．１１プロトコルに従って送信され得る。いくつかの実装形態では、ＷＬＡＮは、ワイヤレスネットワークにアクセスする構成要素である様々なデバイスを含む。たとえば、２つのタイプのデバイス、すなわちアクセスポイント（ＡＰ）および（局またはＳＴＡとも呼ばれる）クライアントがあり得る。概して、ＡＰはＷＬＡＮのためのハブまたは基地局として働くことができ、ＳＴＡはＷＬＡＮのユーザとして働く。たとえば、ＳＴＡはラップトップコンピュータ、携帯情報端末（ＰＤＡ）、モバイルフォンなどであり得る。ある例では、ＳＴＡは、インターネットへの、または他のワイドエリアネットワークへの一般的接続性を取得するためにＷｉＦｉ（登録商標）準拠ワイヤレスリンクを介してＡＰに接続する。いくつかの実装形態では、ＳＴＡはＡＰとしても使われ得る。
【００１９】
[0030]また、アクセスポイント（ＡＰ）は基地局、ワイヤレスアクセスポイント、アクセスノードまたは同様の用語を含むか、それらのいずれかとして実装されるか、またはそれらのいずれかとして知られていることがある。
【００２０】
[0031]局「ＳＴＡ」はまた、アクセス端末（「ＡＴ」）、加入者局、加入者ユニット、移動局、リモート局、リモート端末、ユーザ端末、ユーザエージェント、ユーザデバイス、ユーザ機器、または何らかの他の用語を含むか、それらのいずれかとして実装されるか、またはそれらのいずれかとして知られていることがある。したがって、本明細書で教示される１つまたは複数の態様は、電話（たとえば、セルラーフォンもしくはスマートフォン）、コンピュータ（たとえば、ラップトップ）、ポータブル通信デバイス、ヘッドセット、ポータブルコンピューティングデバイス（たとえば、個人情報端末）、エンターテインメントデバイス（たとえば、音楽もしくはビデオデバイス、または衛星ラジオ）、ゲームデバイスもしくはシステム、全地球測位システムデバイス、あるいはワイヤレス媒体を介したネットワーク通信のために構成された他の好適なデバイスに組み込まれ得る。
【００２１】
[0032]上記で説明したように、本明細書で説明するデバイスのうちのいくつかは、たとえば、８０２．１１規格を実装することができる。そのようなデバイスは、ＳＴＡとして使われるか、ＡＰとして使われるか、他のデバイスとして使われるかにかかわらず、スマートメータリングのためにまたはスマートグリッドネットワークにおいて使われ得る。そのようなデバイスは、センサー適用例を提供するか、またはホームオートメーションにおいて使われ得る。デバイスは、代わりにまたは追加として、ヘルスケアコンテキストにおいて、たとえば、パーソナルヘルスケアのために使われ得る。それらのデバイスはまた、（たとえば、ホットスポットとともに使うための）拡張された範囲のインターネット接続性を可能にするために、またはマシンツーマシン通信を実装するために、監視のために使われ得る。
【００２２】
[0033]局（ＳＴＡ）など、複数のデバイスが同時にアクセスポイント（ＡＰ）と通信することを可能にすることが有益な場合がある。たとえば、これは、複数のＳＴＡがより少ない時間においてＡＰから応答を受信し、より少ない遅延を伴ってＡＰからデータを送信および受信することができるようにすることを可能にすることができる。これはまた、ＡＰが全体的により多くの数のデバイスと通信することを可能にすることができ、また、周波数帯域幅使用をより効率的にすることができる。多元接続通信を使うことによって、ＡＰは、たとえば、８０ＭＨｚ周波数帯域幅上で一度に４つのデバイスに対して、直交周波数分割多重（ＯＦＤＭ）シンボルを多重化することが可能であり得、ここで、各デバイスは２０ＭＨｚ周波数帯域幅を使用する。したがって、多元接続は、ＡＰがそのＡＰにとって利用可能なスペクトルをより効率的に使用することを可能にすることができるので、多元接続は、いくつかの態様では、有益であり得る。
【００２３】
[0034]ＡＰとＳＴＡとの間で送信されるシンボルの異なるサブキャリア（または、トーン）を異なるＳＴＡに割り当てることによって、８０２．１１ファミリーなど、ＯＦＤＭシステム内でそのような多元接続プロトコルを実装することが提案されている。このようにして、ＡＰは、単一の送信されるＯＦＤＭシンボルを用いて複数のＳＴＡと通信し得、ここで、シンボルの異なるトーンが異なるＳＴＡによって復号および処理され、したがって、複数のＳＴＡへの同時データ転送を可能にする。これらのシステムは、ＯＦＤＭＡシステムと呼ばれることがある。
【００２４】
[0035]そのようなトーン割振り方式は、本明細書では「高効率」（ＨＥ）システムと呼ばれ、そのような複数トーン割振りシステム内で送信されるデータパケットは高効率（ＨＥ）パケットと呼ばれることがある。後方互換プリアンブルフィールドを含むそのようなパケットの様々な構造について以下で詳細に説明する。
【００２５】
[0036]図１は、本開示の態様が利用され得るワイヤレス通信システム１００の例を示す。ワイヤレス通信システム１００は、ワイヤレス規格、たとえば、８０２．１１ａｈ、８０２．１１ａｃ、８０２．１１ｎ、８０２．１１ｇ、８０２．１１ｂ、または他の／将来の８０２．１１規格のうちの少なくとも１つに従って動作することができる。ワイヤレス通信システム１００は、高効率ワイヤレス規格、たとえば８０２．１１ａｘ規格に従って動作することができる。ワイヤレス通信システム１００は、（本明細書では、総称的にＳＴＡ１０６と呼ばれることがある）ＳＴＡ１０６Ａ〜１０６Ｄと通信するＡＰ１０４を含み得る。
【００２６】
[0037]様々なプロセスおよび方法が、ＡＰ１０４とＳＴＡ１０６Ａ〜１０６Ｄとの間の、ワイヤレス通信システム１００における送信のために使われ得る。たとえば、信号は、ＯＦＤＭ／ＯＦＤＭＡ技法に従って、ＡＰ１０４とＳＴＡ１０６Ａ〜１０６Ｄとの間で送信および受信され得る。そうである場合、ワイヤレス通信システム１００は、ＯＦＤＭ／ＯＦＤＭＡシステムと呼ばれることがある。代替的に、信号は、符号分割多元接続（ＣＤＭＡ）技法に従って、ＡＰ１０４とＳＴＡ１０６Ａ〜１０６Ｄとの間で送信および受信され得る。そうである場合、ワイヤレス通信システム１００はＣＤＭＡシステムと呼ばれることがある。
【００２７】
[0038]ＡＰ１０４からＳＴＡ１０６Ａ〜１０６Ｄのうちの１つまたは複数への送信を容易にする通信リンクは、ダウンリンク（ＤＬ）１０８と呼ばれることがあり、ＳＴＡ１０６Ａ〜１０６Ｄのうちの１つまたは複数からＡＰ１０４への送信を容易にする通信リンクは、アップリンク（ＵＬ）１１０と呼ばれることがある。代替的に、ダウンリンク１０８は順方向リンクまたは順方向チャネルと呼ばれることがあり、アップリンク１１０は逆方向リンクまたは逆方向チャネルと呼ばれることがある。
【００２８】
[0039]ＡＰ１０４は、基地局として働き、基本サービスエリア（ＢＳＡ）１０２においてワイヤレス通信カバレージを提供することができる。ＡＰ１０４は、ＡＰ１０４に関連付けられ、通信のためにＡＰ１０４を使用するＳＴＡ１０６Ａ〜１０６Ｄとともに、基本サービスセット（ＢＳＳ）と呼ばれることがある。ワイヤレス通信システム１００は、中央ＡＰ１０４を有しないことがあり、むしろ、ＳＴＡ１０６Ａ〜１０６Ｄ間のピアツーピアネットワークとして機能することができることに留意されたい。したがって、本明細書で説明されるＡＰ１０４の機能は、代替的にＳＴＡ１０６Ａ〜１０６Ｄのうちの１つまたは複数によって実施され得る。
【００２９】
[0040]いくつかの態様では、ＳＴＡ１０６は、ＡＰ１０４に通信を送るために、および／またはＡＰ１０４から通信を受信するために、ＡＰ１０４に関連することが必要であり得る。一態様では、関連付けるための情報は、ＡＰ１０４によるブロードキャスト中に含まれる。そのようなブロードキャストを受信するために、ＳＴＡ１０６は、たとえば、カバレージ領域にわたって広カバレージ探索を実施することができる。また、探索は、ＳＴＡ１０６が、たとえば、灯台方式でカバレージ領域を掃引することによって実施され得る。関連するための情報を受信した後に、ＳＴＡ１０６は、関連付けプローブまたは要求などの基準信号をＡＰ１０４に送信することができる。いくつかの態様では、ＡＰ１０４は、たとえば、インターネットまたは公衆交換電話網（ＰＳＴＮ）などのより大きいネットワークと通信するために、バックホールサービスを使用することができる。
【００３０】
[0041]ある実施形態では、ＡＰ１０４は、ＡＰ高効率ワイヤレスプロセッサ２２４を含む。ＡＰ  ＨＥＷプロセッサ２２４は、８０２．１１プロトコルを使って、ＡＰ１０４とＳＴＡ１０６Ａ〜１０６Ｄとの間の通信を可能にするために、本明細書で説明される動作の一部または全部を実施することができる。ＡＰ  ＨＥＷプロセッサ２２４の機能性が、図２〜図５に関して以下でより詳細に説明される。
【００３１】
[0042]代替的にまたは追加として、ＳＴＡ１０６Ａ〜１０６Ｄは、ＳＴＡ  ＨＥＷプロセッサ２２４を含むことができる。ＳＴＡ  ＨＥＷプロセッサ２２４は、８０２．１１プロトコルを使って、ＳＴＡ１０６Ａ〜１０６ＤとＡＰ１０４との間の通信を可能にするために、本明細書で説明される動作の一部または全部を実施することができる。ＳＴＡ  ＨＥＷプロセッサ２２４の機能性が、図２〜図５に関して以下でより詳細に説明される。
【００３２】
[0043]上記で説明したように、本明細書で説明されるデバイスのいくつかは、たとえば、高効率８０２．１１規格、たとえば、８０２．１１ＨＥＷ、８０２．１１ａｃ、８０２．１１ａｘなどを実装し得る。いくつかの態様では、たとえば一致した８０２．１１ａｘプロトコル、ワイヤレス信号が低レート（ＬＲ）モードで送信され得る。一態様では、ＬＲモードは、所与の周波数帯域幅にわたって最も低いデータレートを有する変調およびコーディング方式（ＭＣＳ）として定義され得る。たとえば、８０２．１１ａｘプロトコルにおいて、反復ＭＣＳ０モード（２位相シフトキーイング（ＢＰＳＫ）変調と、１／２のコーディングレートとを使うＭＣＳ０モード）であるＭＣＳ１０モードが、ＬＲモードとして定義され得る。いくつかの実施形態では、ＡＰ１０４は、ＳＴＡ１０６と比較して、より大きい送信電力能力を有することがある。いくつかの実施形態では、たとえば、ＳＴＡ１０６は、ＡＰ１０４よりも数ｄＢ低いｄＢにおいて送信することができる。したがって、ＡＰ１０４からＳＴＡ１０６へのＤＬ通信は、ＳＴＡ１０６からＡＰ１０４へのＵＬ通信よりも高い範囲を有することができる。リンクバジェットを閉じるために、ＬＲモードが使われ得る。いくつかの実施形態では、ＬＲモードは、ＤＬ通信とＵＬ通信の両方において使われ得る。他の実施形態では、ＬＲモードは、ＵＬ通信のためにのみ使われる。
【００３３】
[0044]いくつかの実施形態では、ＨＥＷ  ＳＴＡ１０６は、レガシーＳＴＡのシンボル持続時間の４倍のシンボル持続時間を使って通信することができる。したがって、送信される各シンボルは、持続時間が４倍長いことがある。より長いシンボル持続時間を使うとき、個々のトーンの各々は、送信されるべき周波数帯域幅の１／４のみを必要とし得る。たとえば、様々な実施形態では、１ｘシンボル持続時間は４ｍｓであり得、４ｘシンボル持続時間は１６ｍｓであり得る。したがって、様々な実施形態では、１ｘシンボルは本明細書ではレガシーシンボルと呼ばれることがあり、４ｘシンボルはＨＥＷシンボルと呼ばれることがある。他の実施形態では、異なる持続時間が可能である。
【００３４】
[0045]図２は、図１のワイヤレス通信システム１００内で利用され得るワイヤレスデバイス２０２において使用され得る様々な構成要素を示す。ワイヤレスデバイス２０２は、本明細書で説明される様々な方法を実装するように構成され得るデバイスの例である。たとえば、ワイヤレスデバイス２０２は、ＡＰ１０４を含むか、またはＳＴＡ１０６Ａ〜１０６Ｄのうちの１つを含むことができる。
【００３５】
[0046]ワイヤレスデバイス２０２は、ワイヤレスデバイス２０２の動作を制御するプロセッサ２０４を含み得る。プロセッサ２０４は中央処理ユニット（ＣＰＵ）またはハードウェアプロセッサと呼ばれることもある。読取り専用メモリ（ＲＯＭ）、ランダムアクセスメモリ（ＲＡＭ）、またはその両方を含むことができるメモリ２０６は、プロセッサ２０４に命令とデータとを与える。メモリ２０６の一部はまた、不揮発性ランダムアクセスメモリ（ＮＶＲＡＭ）を含み得る。プロセッサ２０４は、一般に、メモリ２０６内に記憶されたプログラム命令に基づいて論理演算と算術演算とを実施する。メモリ２０６中の命令は、本明細書で説明される方法を実装するように実行可能であり得る。
【００３６】
[0047]プロセッサ２０４は、１つまたは複数のプロセッサとともに実装された処理システムを含むことができるか、またはそれの構成要素であり得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別ハードウェア構成要素、専用ハードウェア有限状態機械、または情報の算出もしくは他の操作を実施することができる任意の他の好適なエンティティの任意の組合せを用いて実装され得る。
【００３７】
[0048]処理システムは、ソフトウェアを記憶するための非一時的機械可読媒体も含むことができる。ソフトウェアは、ソフトウェア、ファームウェア、ミドルウェア、マイクロコード、ハードウェア記述言語と呼ばれるか、またはそれ以外の名称で呼ばれるかにかかわらず、任意のタイプの命令を意味すると広く解釈されるべきである。命令は、（たとえば、ソースコード形式、バイナリコード形式、実行可能コード形式、またはコードの任意の他の好適な形式の）コードを含むことができる。命令は、１つまたは複数のプロセッサによって実行されたとき、処理システムに本明細書で説明する様々な機能を実施させる。
【００３８】
[0049]ワイヤレスデバイス２０２はまた、ワイヤレスデバイス２０２と遠隔地との間のデータの送信と受信とを可能にするために、送信機２１０と受信機２１２とを含むことができるハウジング２０８を含むことができる。送信機２１０および受信機２１２は、組み合わせられてトランシーバ２１４になり得る。アンテナ２１６は、ハウジング２０８に取り付けられ、トランシーバ２１４に電気的に結合され得る。ワイヤレスデバイス２０２はまた、たとえば、多入力多出力（ＭＩＭＯ）通信中に使用され得る、複数の送信機、複数の受信機、複数のトランシーバ、および／または複数のアンテナを含むことができる。
【００３９】
[0050]ワイヤレスデバイス２０２は、トランシーバ２１４によって受信された信号のレベルを検出および定量化するために使われ得る信号検出器２１８を含むこともできる。信号検出器２１８は、総エネルギー、シンボルごとのサブキャリア当たりのエネルギー、電力スペクトル密度、および他の信号などの信号を検出することができる。ワイヤレスデバイス２０２は、信号を処理する際に使うためのデジタル信号プロセッサ（ＤＳＰ）２２０も含むことができる。ＤＳＰ２２０は、送信用のデータユニットを生成するように構成され得る。いくつかの態様では、データユニットは物理レイヤデータユニット（ＰＰＤＵ）を含むことができる。いくつかの態様では、ＰＰＤＵはパケットと呼ばれる。
【００４０】
[0051]ワイヤレスデバイス２０２は、いくつかの態様ではユーザインターフェース２２２をさらに含むことができる。ユーザインターフェース２２２は、キーパッド、マイクロフォン、スピーカー、および／またはディスプレイを含むことができる。ユーザインターフェース２２２は、ワイヤレスデバイス２０２のユーザに情報を伝達し、および／またはユーザからの入力を受信する、任意の要素または構成要素を含むことができる。
【００４１】
[0052]いくつかの態様では、ワイヤレスデバイス２０２はさらに、高効率ワイヤレス（ＨＥＷ）プロセッサ２２４を備え得る。本明細書で説明するように、ＨＥＷプロセッサ２２４は、ＡＰおよび／またはＳＴＡが、パケットを低レート（ＬＲ）モードで生成もしくは符号化し、またはレガシーＳＴＡによる干渉からのＬＲ送信の保護を増すことを可能にし得る。様々な実施形態では、ＨＥＷプロセッサ２２４は、本明細書で説明する任意の方法またはその一部分を実装するように構成され得る。図示されるように、アンテナ２１６は、本明細書に記載されるＨＥ−ＳＩＧＢ符号化構造のうちのいずれかをもつパケットを送信するのに使われてよく、たとえばパケット４００および４０１は、ＨＥ−ＳＩＧＢ符号化構造７００、８００、または９００（後でさらに詳しく記載される）を備えるできる。いくつかの態様では、パケットフォーマットを決定または送信することは、ワイヤレス媒体の効率的な使用を可能にし、オーバーヘッドを低減することができる。
【００４２】
[0053]ワイヤレスデバイス２０２の様々な構成要素は、バスシステム２２６によって互いに結合され得る。バスシステム２２６は、データバス、ならびに、たとえば電力バス、制御信号バス、および状況信号バスを、データバスに加えて含み得る。ワイヤレスデバイス２０２の構成要素は、何らかの他の機構を使って、互いに結合され、または互いへの入力を受容し、もしくは与え得ることが、当業者には諒解できよう。
【００４３】
[0054]図２には、いくつかの別個の構成要素が示されているが、構成要素のうちの１つまたは複数が組み合わせられるか、または共通に実装され得ることを、当業者は認識できよう。たとえば、プロセッサ２０４は、プロセッサ２０４に関して上記で説明した機能性を実装するためだけでなく、信号検出器２１８および／またはＤＳＰ２２０に関して上記で説明した機能性を実装するためにも使われ得る。さらに、図２に示された構成要素の各々は、複数の別個の要素を使って実装され得る。
【００４４】
[0055]上記で説明されたように、ワイヤレスデバイス２０２は、ＡＰ１０４またはＳＴＡ１０６Ａ〜１０６Ｄのうちの１つを含むことができ、通信を送信および／または受信するために使われ得る。ワイヤレスネットワークにおけるデバイス間で交換される通信は、パケットまたはフレームを含むことができるデータユニットを含むことができる。いくつかの態様では、データユニットは、データフレーム、制御フレーム、および／または管理フレームを含むことができる。データフレームは、ＡＰおよび／またはＳＴＡから他のＡＰおよび／またはＳＴＡにデータを送信するために使われ得る。制御フレームは、様々な動作を実施するために、およびデータを確実に配信するために、データフレームとともに使われ得る（たとえば、データの受信を肯定応答すること、ＡＰのポーリング、エリアクリアリング動作、チャネル取得、キャリア検知維持機能など）。管理フレームは、様々な監視機能に（たとえば、ワイヤレスネットワークに接続し、そこから離脱するためなどに）使われ得る。
【００４５】
[0056]図３は、ＩＥＥＥ８０２．１１ファミリーにマルチユーザＭＩＭＯ機能性を追加した、ＩＥＥＥ８０２．１１ａｃ規格のための物理レイヤパケット３００を示す。８０２．１１ａｃパケット３００は、レガシーショートトレーニングフィールド（Ｌ−ＳＴＦ）３２２と、ロングトレーニングフィールド（Ｌ−ＬＴＦ）３２４と、信号フィールド（Ｌ−ＳＩＧ）フィールド３２６とを含み得る。ＩＥＥＥ８０２．１１ａ／ｂ／ｇ（など）デバイスとＩＥＥＥ８０２．１１ａｃデバイスの両方を含んでいるシステムに後方互換性を与えるために、ＩＥＥＥ８０２．１１ａｃ（および将来の８０２．１１）システムのためのデータパケットは、それらが「レガシー」フィールドであることを示すためのプレフィックスＬとともに、Ｌ−ＳＴＦ３２２、Ｌ−ＬＴＦ３２４、およびＬ−ＳＩＧ３２６として知られる、これらの早期のシステムのＳＴＦフィールド、ＬＴＦフィールド、およびＳＩＧフィールドも含む。ＩＥＥＥ８０２．１１ａ／ｂ／ｇと動作するように構成されたレガシーデバイスがそのようなパケットを受信するとき、そのレガシーデバイスは、通常の１１／ｂ／ｇパケットとして、Ｌ−ＳＩＧフィールド３２６を受信および復号することができる。しかしながら、デバイスが追加のビットを復号し続けると、それらのビットは、Ｌ−ＳＩＧフィールド８０６の後のデータパケットのフォーマットが１１／ｂ／ｇパケットのフォーマットとは異なるので、正常に復号されないことがあり、このプロセス中にそのデバイスによって実施されるＣＲＣ検査は失敗することがある。
【００４６】
[0057]パケット３００は、超高スループット（ＶＨＴ）信号−Ａ（ＳＩＧＡ）フィールド３５０も含む。いくつかの態様では、ＶＨＴ−ＳＩＧＡフィールド３５０は、長さにおいて２つのＯＦＤＭシンボルを有する。ＶＨＴ−ＳＩＧＡフィールド３５０は、周波数帯域幅モードに関する情報、単一ユーザの場合の変調およびコーディング方式（ＭＣＳ）に関する情報と、時空間ストリームの数（ＮＳＴＳ）に関する情報と、他の情報とを含み得る。ＶＨＴ−ＳＩＧＡフィールド３５０はまた、「１」に設定された、いくつかの予約済みビットを含んでいることがある。レガシーフィールドおよびＶＨＴ−ＳＩＧＡフィールド３５０は、利用可能な周波数帯域幅の各２０ＭＨｚ上で複製され得る。本明細書で説明するように、複製は、いくつかの実装形態では、厳密なコピーを行うこと、または厳密なコピーであることを意味するために構築され得るが、フィールドなどが複製されたとき、いくつかの差が存在し得る。たとえば、他の実装形態は、いくつかの差を有するように、フィールドを意図的に複製する場合がある。
【００４７】
[0058]ＶＨＴ−ＳＩＧＡフィールド３５０の後に、８０２．１１ａｃパケットは、多入力多出力（ＭＩＭＯ）送信における自動利得制御推定を改善するように構成されたＶＨＴ−ＳＴＦを含んでいることがある。８０２．１１ａｃパケットの次の１〜８つのフィールドはＶＨＴ−ＬＴＦであることがある。これらは、ＭＩＭＯチャネルを推定し、次いで、受信信号を等化するために使用され得る。送られるＶＨＴ−ＬＴＦの数は、ユーザごとの空間ストリームの数よりも大きいかまたはそれに等しいことがある。最終的に、データフィールドの前のプリアンブル中の最後のフィールドはＶＨＴ−ＳＩＧ−Ｂ３５４である。ＶＨＴ−ＳＩＧ−Ｂ３５４はＢＰＳＫ変調され、パケット中の有用なデータの長さに関する情報を提供することができ、マルチユーザ（ＭＵ）ＭＩＭＯパケットの場合、ＭＣＳを提供する。シングルユーザ（ＳＵ）の場合、このＭＣＳ情報は、代わりに、ＶＨＴ−ＳＩＧＡフィールド３５０中に含まれ得る。ＶＨＴ−ＳＩＧ−Ｂ３５４に続いて、データシンボル３２８が送信され得る。
【００４８】
[0059]８０２．１１ａｃは様々な新しい特徴を８０２．１１ファミリーに導入し、１１／ｇ／ｎデバイスとの後方互換性があったプリアンブル設計をもつデータパケットを含み、また、１１ａｃの新しい特徴を実装するのに必要な情報を与えたが、多元接続のためのＯＦＤＭＡトーン割振りのための構成情報は１１ａｃデータパケット設計によって与えられない。ＩＥＥＥ８０２．１１、またはＯＦＤＭサブキャリアを使用する他のワイヤレスネットワークプロトコルの何らかの将来のバージョンにおいて、そのような特徴を実装するために新しいプリアンブル構成が望まれる。
【００４９】
[0060]図４は、ＨＥ−ＳＩＧＢフィールド４６０を含む例示的な物理レイヤパケット４００の図である。図４のパケット４００は、図３のパケット３００と同様であり、それから適応され、簡潔のために、パケット３００と４００との間の違いのみがここで説明される。いくつかの態様では、図４は、例示的なＩＥＥＥ８０２．１１ａｘパケットのためのパケット構造を示す。いくつかの態様では、ＡＰ１０４またはＳＴＡ１０６は、図１のＡＰ  ＨＥＷ２２４もしくはＳＴＡ  ＨＥＷ２２４または図２のＨＥＷプロセッサ２２４を使って、パケット４００を符号化し得る。パケット４００は、Ｌ−ＳＴＦ３２２と、Ｌ−ＬＴＦ３２４と、Ｌ−ＳＩＧ３２６とを備え、これらは、まとめてレガシープリアンブル４０１と呼ばれ得る。パケット４００は、反復Ｌ−ＳＩＧフィールド４４０と、ＨＥ−ＳＩＧＡフィールド４５０と、ＨＥ−ＳＩＧＢフィールド４６０とをさらに備える。ＩＥＥＥ８０２．１１に特徴が追加されたので、追加の情報をＳＴＡに与えるために、データパケット中のＳＩＧフィールドのフォーマットに対する変更が開発された。たとえば、ＨＥ−ＳＩＧＢフィールド４６０中の情報は、パケット４００のデータ３２８の復号を円滑にするための制御情報を含み得る。たとえば、受信側ＳＴＡがデータ３２８を復号することを可能にするためのＭＣＳ、コーディング、空間多重化などである。ＨＥ−ＳＩＧＢフィールド４６０は、各スケジュールされたＳＴＡが、１つまたは複数の割り当てられたリソースユニット（ＲＵ）中のデータを復号することができるように、リソース割振り情報も提供し得る。いくつかの実施形態では、ＲＵは、個々の宛先ＳＴＡまたはデバイスに割り振られるトーンの固有セットに対する別の用語である場合がある。
【００５０】
[0061]当業者は、図示されたパケット４００が追加フィールドを含むことができること、フィールドが並べ替えられ、除去され、および／またはサイズ変更され得ること、ならびにフィールドの内容が変更され得ることを諒解されよう。たとえば、様々な実施形態において、ＨＥ−ＳＩＧＢフィールド４６０は、ＨＥ−ＳＴＦ、ＨＥ−ＬＴＦ、１つまたは複数の追加ＨＥ−ＳＩＧＢフィールド、１つまたは複数の反復フィールドなどのうちの１つまたは複数をさらに含み得る。
【００５１】
[0062]図示の実施形態では、パケット４００は、１ｘシンボル持続時間を使う。他の実施形態では、４ｘシンボル持続時間は、たとえば、ＨＥ−ＳＩＧＢ４６０および／またはデータ３２８の任意の部分など、パケット４００の少なくとも一部分のために使われ得る。
【００５２】
[0063]いくつかの態様では、ＨＥ−ＳＩＧＡフィールド４５０は、２つの１ｘシンボルを占有し得る少なくとも２６ビットを備え得る。いくつかの実施形態では、ＨＥ−ＳＩＧＡフィールドは、時間において、または周波数サブキャリア（トーン）において反復され得る。いくつかの態様では、デバイスまたはプロセッサ（たとえば、図２のＨＥＷプロセッサ２２４）が、ＨＥ−ＳＩＧＡフィールド４５０が反復されるところでこれらの２６個のビットフィールドをＬＲで符号化する場合、ＨＥ−ＳＩＧＡフィールド４５０は、４つの１ｘシンボル（たとえば、最後のものは約１６μｓ）を占有し得る。ＬＲモード（たとえば、ＭＣＳ１０）で動作するとき、１つの１ｘシンボルのみを占有し、したがって、反復されると、ＬＲモードにおいて合計で２つの１ｘシンボルを占有するように、ＨＥ−ＳＩＧＡフィールド４５０中のビットの数を削減することが望ましい場合がある。
【００５３】
[0064]いくつかの実施形態では、ＨＥ−ＳＩＧＢフィールド４６０は、２つの部分、すなわち第１の部分と第２の部分とを備え得る。いくつかの態様では、第１の部分は、ＳＴＡすべてについてのＲＵ割振り情報を、周波数帯域幅（ＢＷ）の対応する２０ＭＨｚチャネル中に含み得る共通部分と呼ばれ得る。いくつかの態様では、第２の部分は、各ＳＴＡについてのユーザ別情報を含み得る専用部分と呼ばれ得る。いくつかの実施形態では、第１の部分は、第２の部分とは別個に符号化され得る。他の態様では、第１の部分は、第２の部分の一部または全部と一緒に符号化され得る。
【００５４】
[0065]いくつかの実施形態では、ＨＥ−ＳＩＧＢフィールド４６０符号化プロセスは、２０ＭＨｚごとに行われ、１つまたは複数のバイナリ畳込み符号（ＢＣＣ）コードブロックまたはコードワードを備える。各コードブロックは、ジョイント符号化されてよく、「ｋ」個のユーザについてのユーザ別情報を含む。いくつかの態様では、異なるコードブロックの間の境界は、ＯＦＤＭシンボル境界と必ずしも整合しない場合がある。ＨＥ−ＳＩＧＢフィールド４６０符号化構造は、図５Ａおよび図５Ｂに示す以下の２つの選択肢のうちの１つに基づき得る。
【００５５】
[0066]図５Ａは、例示的なＨＥ−ＳＩＧＢフィールド５００符号化構造の図である。いくつかの態様では、ＨＥ−ＳＩＧＢフィールド５００は、図４のＨＥ−ＳＩＧＢフィールド４６０の例示的な符号化構造を備え得る。示されるように、共通部分または共通ブロック５０１は、それ自体のＢＣＣコードブロックにおいて別個に符号化され、専用部分５１０は、すべての「ｋ」個のユーザ用の１つまたは複数のＢＣＣコードブロックにおいて別個に符号化される。図５Ａにおいて、コードブロック５１５は、２つのユーザについての情報を符号化するための、ユーザブロック５１１と、ユーザブロック５１２と、ＣＲＣ／末尾部分５１３とを備える。コードブロック５３０は、ＨＥ−ＳＩＧＢフィールド５００中の最終コードブロックを表し、ユーザブロック５３１とＣＲＣ／末尾部分５３２とを備える。いくつかの態様では、ＨＥ−ＳＩＧＢフィールド５００中の最終コードブロックは、前のコードブロックに含まれていた「ｋ」個未満のユーザブロックを含み得る。図５Ａは、「ｋ」の値が２つのユーザに等しい例を示すが、２よりも大きいか、またはそれよりも小さい他の値も可能である。
【００５６】
[0067]図５Ｂは、例示的なＨＥ−ＳＩＧＢフィールド５５０符号化構造の図である。いくつかの態様では、ＨＥ−ＳＩＧＢフィールド５５０は、図４のＨＥ−ＳＩＧＢフィールド４６０の例示的な符号化構造を備え得る。示されるように、共通部分または共通ブロック５０１は、ＢＣＣコードブロック５６０中のユーザブロック５６１、５６２、およびＣＲＣ／末尾部分５６３と一緒に符号化される。専用部分５１０の残りの部分は、すべての「ｋ」個のユーザ用の１つまたは複数のＢＣＣコードブロックにおいて符号化される。図５Ｂにおいて、コードブロック５７０は、２つのユーザについての情報を符号化するための、ユーザブロック５７１と、ユーザブロック５７２と、ＣＲＣ／末尾部分５７３とを備える。コードブロック５８０は、ＨＥ−ＳＩＧＢフィールド５５０中の最終コードブロックを表し、ユーザブロック５８１とＣＲＣ／末尾部分５８２とを備える。いくつかの態様では、ＨＥ−ＳＩＧＢフィールド５５０中の最終コードブロックは、前のコードブロックに含まれていた「ｋ」個未満のユーザブロックを含み得る。これらの実施形態では、最終コードブロックは、最終コードブロックの持続時間が他のコードブロックと同じになるように、追加パディングビットを含むパディングフィールド（たとえば、以下で論じられる図７のパディングフィールド７３２、７８２）も備え得る。これらの追加パディングビットは、送信機によっても符号化されるように、ＣＲＣ／末尾部分に先行して配置され得る。追加パディングビットは、送信機における符号化プロセスの後で追加されるように、ＣＲＣ／末尾部分の後に置かれてもよい。共通部分５０１中の情報に基づいて、受信側ＳＴＡは、共通部分５０１から、ユーザの実際の数を知っているので、パディングビットを破棄してよい。いくつかの実施形態では、最終コードブロックは「ｋ」個のユーザブロックを含んでよく、パディングは必要ない場合がある。図５Ｂは、「ｋ」の値が２つのユーザに等しい例を示すが、２よりも大きいか、またはそれよりも小さい他の値も可能である。
【００５７】
[0068]いくつかの実施形態では、ＢＷ≧４０ＭＨｚのためのＨＥ−ＳＩＧＢ符号化構造（たとえば、５００または５５０）は、各ＳＴＡが、異なる内容（以下では、１／２と記される）を運ぶちょうど２つの２０ＭＨｚを復号することを要求する。たとえば、第１の２０ＭＨｚは、対応する２０ＭＨｚデータ部分（たとえば、図３および図４のデータ部分３２８）についてのＳＴＡ向けのリソース割振りとユーザ別情報とを運んでよく、第２の２０ＭＨｚは、対応する２０ＭＨｚデータ部分についてのスケジューリング情報を含んでよい。したがって、ＨＥ−ＳＩＧＢを受信した各ＳＴＡは、そのＲＵ割振りを決定するために、両方の２０ＭＨｚチャネル（たとえば、第１の［１次］２０ＭＨｚおよび第２の［２次］２０ＭＨｚ）を復号する必要があり得る。
【００５８】
[0069]より大きいＰＰＤＵ周波数ＢＷ（たとえば、８０または１６０ＭＨｚ）の場合、各４０ＭＨｚは複製され、各ＳＴＡが、ＨＥ−ＳＩＧＢ内容をすべて取得するために、２つの２０ＭＨｚチャネルを復号することが望ましい場合がある。１つおきの２０ＭＨｚチャネル（１、３、５、７および２、４、６、８）についての共通および専用内容は、一緒にシグナリングされ得る。たとえば、図６は、８０ＭＨｚを超える周波数ＢＷ用の例示的なＨＥ−ＳＩＧＢ符号化構造６００を示す。示されるように、２０ＭＨｚチャネル６０３はチャネル６０１の複製であり、２０ＭＨｚチャネル６０４はチャネル６０２の複製である。いくつかの態様では、チャネル６０１または６０３のいずれかの中に割り振られるＳＴＡは、一緒にシグナリングされる。同様に、チャネル６０２または６０４のいずれかの中に割り振られるＳＴＡは、一緒にシグナリングされ得る。
【００５９】
[0070]図５Ａおよび図５Ｂに示したように、いくつかの態様では、複数のＢＣＣコードブロックサイズが必要とされ得る。共通部分５０１および専用部分５１０が異なるコードブロックサイズを有し得るので、異なるサイズが必要とされ得る。いくつかの態様では、共通部分５０１および専用部分５１０は、異なる量の情報を有し、そのような情報を運ぶのに、異なるサイズのコードブロックを要求し得る。さらに、いくつかの実施形態では、ＰＰＤＵ周波数ＢＷが増大すると、共通部分５０１の内容が増大する。たとえば、８０ＭＨｚ周波数ＢＷ用に、共通部分は、上述したように、２０ＭＨｚチャネル（たとえば、図６のチャネル６０１）および複製された２０ＭＨｚチャネル（たとえば、図６のチャネル６０３）についてのリソース割振り情報を含むことを要求され得る。したがって、共通部分５０１中の情報の量は、２０ＭＨｚまたは４０ＭＨｚ周波数ＢＷよりも、８０ＭＨｚ周波数ＢＷにおいて大きいが、それは、それらの周波数ＢＷが複製を要求しないからである。さらに、いくつかの態様では、共通部分５０１サイズは、シングルユーザ（ＳＵ）ＯＦＤＭＡおよびＭＵ−ＭＩＭＯ割振り用に異なってもよい。たとえば、ＭＵ−ＭＩＭＯ割振りは、各ＳＴＡについてのＲＵ割振り情報ならびに各割振りに割り当てられたユーザの数を要求する場合があり、したがって、そのような情報を含むために、ＳＵ  ＯＤＦＭＡ割振りよりも大きい共通部分サイズを有し得る。
【００６０】
[0071]さらに、ＨＥ−ＳＩＧＢフィールド中の最終コードブロック（たとえば、コードブロック５３０または５８０）は、前のコードブロックとは異なるサイズを有し得る。たとえば、図５Ａおよび図５Ｂに示すように、最終コードブロック５３０および５８０はただ１つのユーザコードブロックを含み、前のコードブロックは２つのユーザコードブロックを含むが、最終コードブロック用の他のサイズも可能である。
【００６１】
[0072]異なるサイズのコードブロック、および上で論じたＨＥ−ＳＩＧＢ符号化に関する他の問題は、復号を円滑にするとともにパケットエラーレート（ＰＥＲ）を低減するＨＥ−ＳＩＧＢ符号化構造を指定することによって対処され得る。いくつかの実施形態では、ＨＥ−ＳＩＧＢフィールドの共通および専用部分を分離することが有益であり得る。いくつかの態様では、すべてのチャネル用の共通部分（たとえば、共通部分５０１）は、同じコードブロックにおいて一緒に符号化され、すべてのチャネル用の専用部分（たとえば、専用部分５１０）は、複数のコードブロックにグループ化される。
【００６２】
[0073]図７は、８０ＭＨｚ周波数ＢＷを介して複数のユーザにデータを送信するための第１の例示的なＨＥ−ＳＩＧＢ符号化構造７００の図である。いくつかの態様では、ＨＥ−ＳＩＧＢ符号化構造７００は、図４のＨＥ−ＳＩＧＢフィールド４６０の例示的な符号化構造を備え得る。ＨＥ−ＳＩＧＢ符号化構造７００は、８０ＭＨｚ周波数ＢＷの第２および第４の２０ＭＨｚチャネルを介して送信される２０ＭＨｚチャネル７０１と、８０ＭＨｚ周波数ＢＷの第１および第３の２０ＭＨｚチャネルを介して送信される２０ＭＨｚチャネル７５１とを備える。ＨＥ−ＳＩＧＢ符号化構造７００は、チャネル７０１用に、共通部分７０２と、専用部分７２０と、最終コードブロック７３０とをさらに備える。専用部分７２０は、３つのユーザ（ＳＴＡ）用の専用内容７１１およびＣＲＣ／末尾部分と、次の３つのユーザ用の専用内容７１２およびＣＲＣ／末尾部分とを備える。いくつかの態様では、専用内容７１１および７１２は、ユーザの各々向けのユーザブロック（たとえば、図５Ａのユーザブロック５１１、５１２）を、それぞれの専用内容ブロック中に備え得る。最終コードブロック７３０は、専用内容７３１とパディング情報７３２とを備え得る。いくつかの態様では、専用内容７３１は、ユーザの各々用のユーザブロックを、専用内容７３１ブロック中に備え得る。たとえば、コードブロック７３０中の専用内容７３１は、１つ、２つ、または３つのユーザ用のユーザブロックを備え得る。
【００６３】
[0074]ＨＥ−ＳＩＧＢ符号化構造７００は、同様に、チャネル７５１用に、共通部分７５２と、専用部分７６０と、最終コードブロック７８０とを備える。専用部分７６０は、３つのユーザ（ＳＴＡ）用の専用内容７６１およびＣＲＣ／末尾部分と、次の３つのユーザ用の専用内容７６２およびＣＲＣ／末尾部分とを備える。いくつかの態様では、専用内容７１１および７１２は、ユーザの各々向けのユーザブロック（たとえば、図５Ａのユーザブロック５１１、５１２）を、それぞれの専用内容ブロック中に備え得る。最終コードブロック７８０は、専用内容７８１とパディング情報７８２とを備え得る。いくつかの態様では、専用内容７８１は、ユーザの各々用のユーザブロックを、専用内容７８１ブロック中に備え得る。たとえば、コードブロック７８０中の専用内容７８１は、１つ、２つ、または３つのユーザ用のユーザブロックを備え得る。
【００６４】
[0075]いくつかの態様では、共通部分７０２および７５２のサイズは、各２０ＭＨｚについて同じである。ただし、いくつかの実施形態では、このサイズは、ＰＰＤＵ周波数ＢＷサイズに基づいて異なり得る。いくつかの態様では、ＰＰＤＵ周波数ＢＷサイズは、ＳＩＧＡフィールド（たとえば、ＨＥ−ＳＩＧＡフィールド４５０）中で示され得る。いくつかの態様では、ＳＵ  ＯＦＤＭＡおよびＭＵ−ＭＩＭＯ用の共通部分は異なる場合があり、これは、受信側ＳＴＡに対して復号問題を引き起こし得る。いくつかの実施形態では、共通部分（たとえば、７０２および７５２）サイズが両方に対して確実に同じになるようにすることが可能であり得る。ただし、共通部分と専用部分とを含むコードブロックは、専用部分中の情報に基づいて異なるサイズを有し得る。
【００６５】
[0076]以下のテーブル１は、各ＰＰＤＵ周波数ＢＷ用の共通部分中の例示的なビット数を示す。上述したように、周波数ＢＷが増大すると、共通部分のサイズは増大する（たとえば、８または１１ビットから、３２または４４ビットへ）。
【００６６】
【表１】
2018532285.tif 000003
【００６７】
[0077]いくつかの実施形態では、各ユーザ用の専用部分（たとえば、図５Ａおよび図５Ｂのユーザブロック５１１、５１２、５６１、５６２など）は、約１９ビットを要求する。この可能ビット割振りは、ＳＵ  ＯＦＤＭＡおよびＭＵ−ＭＩＭＯ割振りの両方にあてはまり得る。いくつかの態様では、ＳＵ  ＯＦＤＭＡおよびＭＵ−ＭＩＭＯ用の各ビットの解釈または定義は異なり得る。
【００６８】
[0078]たとえば、以下のテーブル２は、ＯＦＤＭ実施形態のための、専用部分中でのビットの例示的な割振りを示す。専用部分中の情報は、データの予定受信側を識別するための局（ＳＴＡ）識別子（ＩＤ）フィールドを含み得る。さらに、専用部分は、データの空間多重化および変調に関する情報も含み得る。たとえば、ＭＣＳ、コーディング、空間ストリームの数（Ｎｓｓ）、時空間ブロックコーディング（ＳＴＢＣ）が使われるかどうか、および送信ビームフォーミング（ＴｘＢＦ）が使われるかどうかである。以下のテーブル２は、ＳＴＡ  ＩＤと空間多重化および変調情報の両方についての、合計で１９になる値を示すための例示的なビット割振りを示す。
【００６９】
【表２】
2018532285.tif 000004
【００７０】
[0079]各そのユーザ向けのリソース割振り計画は、共通部分中で定義され得る。ユーザ別内容の順序付けは、ＲＵ割振りをユーザ（ＳＴＡ）にマップすることによって示され得る。たとえば、割振り計画の順序は、専用部分中の、ユーザの復号順序と同じであり得る。以下のテーブル３は、共通部分中に含まれる例示的な割振り計画と、その割振り計画にとって可能な割振りの数とを示す。割振りは、各ユーザに割り振られるトーンの数を示す。専用部分を復号するＳＴＡは、専用部分中の情報が、それらのＳＴＡに向けられているかどうか決定するのに、割振り計画を使うことができる。たとえば、専用内容７１１を復号するＳＴＡは、専用内容７１１中のＳＴＡ  ＩＤがそれ自体のＳＴＡ  ＩＤと一致することに気づくことができ、次いで、割振り計画から、ＳＴＡに割り振られる特定の内容を決定すればよい。
【００７１】
【表３】
2018532285.tif 000005
【００７２】
[0080]以下のテーブル４は、ＭＵ  ＭＩＭＯ実施形態のための、専用部分中でのビットの例示的な割振りを示す。ＯＦＤＭ実施形態でのように、専用部分中の情報は、データの予定受信側を識別するためのＳＴＡ  ＩＤフィールドを含み得る。さらに、専用部分は、空間ストリームの数（Ｎｓｓ）、ストリームがどこで始まり、終わるかを示すためのストリームインデックス、ならびにデータの空間多重化および変調に関する情報も含み得る。示されるように、ＭＵ−ＭＩＭＯ実装形態は、ＯＦＤＭＡと同じ数のユーザ別ビット、すなわち１９を使う。いくつかの態様では、グループ識別子（ＧＩＤ）も、ＭＵ−ＭＩＭＯ割振り用に使われてよく、共通部分中で示され得る。
【００７３】
【表４】
2018532285.tif 000006
【００７４】
[0081]以下のテーブル５は、異なるＰＰＤＵ周波数ＢＷ用の例示的な共通部分サイズを示す。例示的な共通部分サイズは、ＳＵ  ＯＦＤＭＡおよびＭＵ−ＭＩＭＯ実施形態の両方にあてはまり得る。上述したように、最終コードブロック（たとえば、コードブロック７３０）は、シンボルまたは他の境界に合致するための追加パディング（たとえば、パディング７３２、７８２）とともに１〜３つのユーザを含み得る。いくつかの実施形態では、追加パディングは、特定のコードブロックサイズ（たとえば、前のコードブロックのコードブロックサイズ）に整合するための追加ビットを備え得る。他の実施形態では、追加パディングは、前のコードブロックのコードブロックサイズにかかわらず、コードブロックサイズを、ＯＦＤＭシンボル境界と整合するための追加ビットを備え得る。８０および１６０ＭＨｚの場合、共通ビットは、共通部分の増大したサイズを与えられると、別個のコードブロック中で符号化され得る。
【００７５】
【表５】
2018532285.tif 000007
【００７６】
[0082]いくつかの実施形態では、ＨＥ−ＳＩＧＢ専用部分（たとえば、専用部分７２０）中のＳＴＡ  ＩＤフィールドの長さは、基本サービスセット（ＢＳＳ）に関連付けられたアクティブユーザの数に基づいて変えられ得る。たとえば、３０個のユーザがアクティブである場合、それらのユーザは、テーブル２および４に示すように、完全な９〜１１ビットではなく、５ビットで対処され得る。ユーザごとのＳＴＡ  ＩＤビットの数が９よりも小さい場合、３つより多いユーザが、単一のコードブロック中に含められ得る。ユーザごとの専用ビットの数は減少するので、たとえば、ＳＴＡ  ＩＤ用に４ビットが使われた場合、ユーザごとの専用ビットの数は、１０＋４＝１４ビットに等しくなる。いくつかの態様では、コードブロック中に含まれるビットの数が（４＊１４）＋１０＝６６ビットに等しくなるように、４つのユーザが、１つのコードブロック中に含められ得る。たとえば、図７を参照すると、ＳＴＡ  ＩＤフィールド用に使われるビットの数が削減された場合、専用内容７１１、７１２、７６１、および／または７６２は、示される３つのユーザではなく、３つより多いユーザ（たとえば、４つのユーザ）用のユーザブロックを含むことが可能であり得る。したがって、専用部分用のコードブロックサイズは、ＳＴＡ  ＩＤ用に割り振られるビットの数に基づいて変わり得る。いくつかの態様では、ＳＴＡ  ＩＤ用のビットの数は、動的に割り振られ得る。
【００７７】
[0083]第２のＨＥ−ＳＩＧＢ符号化構造において、各２０ＭＨｚチャネル用の共通および専用部分は、シーケンシャル構造で一緒にグループ化され得る。グループ化された部分は、特定の２０ＭＨｚチャネル用の周波数ブロックを作成し得る。図８は、周波数ブロックを使う、第２の例示的なＨＥ−ＳＩＧＢ符号化構造８００の図である。いくつかの態様では、ＨＥ−ＳＩＧＢ符号化構造８００は、図４のＨＥ−ＳＩＧＢフィールド４６０の例示的な符号化構造を備え得る。ＨＥ−ＳＩＧＢ符号化構造８００は、８０ＭＨｚ周波数ＢＷの第２および第４の２０ＭＨｚチャネルを介して送信される２０ＭＨｚチャネル８０１と、８０ＭＨｚ周波数ＢＷの第１および第３の２０ＭＨｚチャネルを介して送信される２０ＭＨｚチャネル８５１とを備える。ＨＥ−ＳＩＧＢ符号化構造８００は、第２の２０ＭＨｚチャネル用の共通部分８０２と、第２の２０ＭＨｚチャネル用の専用部分８１１と、第２の２０ＭＨｚチャネル用の最終コードブロック８１２とを含む周波数ブロック８１０をさらに備える。ＨＥ−ＳＩＧＢ符号化構造８００は、第４の２０ＭＨｚチャネル用の共通部分８２１と、第４の２０ＭＨｚチャネル用の専用部分８２２と、第４の２０ＭＨｚチャネル用の最終コードブロック８２３と、任意選択の追加パディング８２４とを含む周波数ブロック８２０をさらに備える。示されるように、共通部分８０２は、共通部分に、２つのユーザ用の専用内容を加えたものを備える。専用部分８１１は、３つのユーザ（ＳＴＡ）用の専用内容とＣＲＣ／末尾部分とを備え、専用部分８１２は、３つのユーザに対する最後のものについての専用内容を周波数ブロック中に備える。いくつかの態様では、専用部分８１１および８１２（ならびに共通部分８０２に含まれる専用内容）は、ユーザの各々用のユーザブロック（たとえば、図５Ａのユーザブロック５１１、５１２）を、それぞれの専用内容ブロック中に備え得る。同様に、第４の２０ＭＨｚチャネル用の共通部分８２１は、共通部分と、それに加えて、２つのユーザ用の専用内容とを含む。専用部分８２２は、３つのユーザ（ＳＴＡ）用の専用内容とＣＲＣ／末尾部分とを備え、専用部分８２３は、３つのユーザに対する最後のものについての専用内容を周波数ブロック中に備える。パディング８２４は、最終コードブロックサイズを、前のコードブロック、周波数ブロックと、またはＯＦＤＭシンボル境界とのいずれかと整合させるために、図７のパディング７３２および７８２と同様の追加ビットを備える。いくつかの態様では、専用部分８２２および８２３（ならびに共通部分８２１に含まれる専用内容）は、ユーザの各々用のユーザブロック（たとえば、図５Ａのユーザブロック５１１、５１２）を、それぞれの専用内容ブロック中に備え得る。
【００７８】
[0084]ＨＥ−ＳＩＧＢ符号化構造８００は同様に、チャネル８５１用の、共通部分８５２と、専用部分８６１と、最終コードブロック８６２とを含む、第１の２０ＭＨｚチャネル用の周波数ブロック８６０を備える。ＨＥ−ＳＩＧＢ符号化構造８００は、チャネル８５１用の、共通部分８８１と、専用部分８８２と、最終コードブロック８８３と、追加パディング８８４とを含む、第３の２０ＭＨｚチャネル用の周波数ブロック８８０をさらに備える。いくつかの態様では、専用部分８６１、８６２、８８２、８８３、ならびに共通部分８５２および８８１中の専用内容は、ユーザの各々用のユーザブロック（たとえば、図５Ａのユーザブロック５１１、５１２）を、それぞれの専用内容ブロック中に備え得る。いくつかの実施形態では、共通部分８０２、８２１、８５２、および図８８１［共通部分＋２つのユーザ］のサイズは、各周波数ブロックに対して同じであり、別個に符号化される。いくつかの態様では、周波数ブロックの数は、ＳＩＧＡフィールド（たとえば、図４のＨＥ−ＳＩＧＡフィールド４５０）中の周波数ＢＷ指示によって決定され得る。いくつかの実施形態では、共通および専用部分がＯＦＤＭＡおよびＭＵ−ＭＩＭＯ割振りに対して同じサイズを確実に有するようにすることが可能であり得る。周波数ブロック境界は、対応する共通部分によって示され得る。したがって、各共通部分は、専用部分の前に、最初に復号される必要があり得る。たとえば、共通部分８０２は、共通部分と、２つのユーザ用の専用部分とを備える。共通部分は、ＨＥ−ＳＩＧＢフィールドを復号するＳＴＡが、現在の周波数ブロック８１０の最後と、次の周波数ブロック８２０の最初とを決定することができるように、専用部分またはユーザがどのようにあるかについての情報を含む。いくつかの態様では、周波数ブロック内には、３つの可能なコードブロックサイズがあり得る。たとえば、共通部分、専用部分および／または最終コードブロックを含むコードブロックである。
【００７９】
[0085]第３のＨＥ−ＳＩＧＢ符号化構造では、周波数ＢＷ用の各複製されていない２０ＭＨｚ部分中で、すべてのチャネル用の共通および専用部分は、各共通およびユーザ別情報に適用されるＣＲＣと、単一のコードブロックを形成するようにジョイント符号化され得る。図９は、単一のコードブロックを使う、第３の例示的なＨＥ−ＳＩＧＢ符号化構造９００の図である。いくつかの態様では、ＨＥ−ＳＩＧＢ符号化構造９００は、図４のＨＥ−ＳＩＧＢフィールド４６０の例示的な符号化構造を備え得る。ＨＥ−ＳＩＧＢ符号化構造９００は、８０ＭＨｚ周波数ＢＷの第２の２０ＭＨｚチャネルを介して送信される２０ＭＨｚチャネル９０１と、８０ＭＨｚ周波数ＢＷの第１の２０ＭＨｚチャネルを介して送信される２０ＭＨｚチャネル９５１とを備える。ＨＥ−ＳＩＧＢ符号化構造９００は、第２の２０ＭＨｚチャネル用の共通部分９０２と第２の２０ＭＨｚチャネル用の専用部分９２０とをさらに備える。専用部分９２０は、各ユーザ（ＳＴＡ）用のユーザブロック９１０と、各ユーザブロック９１０用の対応するＣＲＣ９１５とを備える。示されるように、「Ｎ」個のユーザ用の専用部分９２０は、ユーザブロック９１０ａ、９１０ｂ、最高９１０ｎまでと、対応するＣＲＣ９１５ａ、９１５ｂ〜９１５ｎとを備える。同様に、ＨＥ−ＳＩＧＢ符号化構造９００は、第１の２０ＭＨｚチャネル用の共通部分９５２と第１の２０ＭＨｚチャネル用の専用部分９８０とをさらに備える。専用部分９８０は、各ユーザ（ＳＴＡ）用のユーザブロック９７０と、各ユーザブロック９７０用の対応するＣＲＣ９７５とを備える。示されるように、「Ｎ」個のユーザ用の専用部分９８０は、ユーザブロック９７０ａ、９７０ｂ、最高９７０ｎまでと、対応するＣＲＣ９７５ａ、９７５ｂ〜９７５ｎとを備える。いくつかの実施形態では、ＨＥ−ＳＩＧＢ符号化構造９００は、共通部分９０２および９５２の後であるとともにユーザブロック９１０ａおよび９７０ａの前である追加ＣＲＣフィールドも備え得る。
【００８０】
[0086]復号した後、受信側ＳＴＡは、共通部分９０２および９５２と専用部分９２０および９８０とを解析し、各ＳＴＡ用のＣＲＣを調べる。各ユーザブロック９１０用の個々のＣＲＣおよびは、各ユーザ向けのＨＥ−ＳＩＧＢ性能が以前のソリューションに匹敵することを保証するのを助け得る。いくつかの実施形態では、ＯＦＤＭシンボルの数が最大で１６であり得るので、追加ハードウェアが、より多くの状態をバッファリングすることを必要とされるできる。
【００８１】
[0087]いくつかの実施形態では、単一コードブロックＨＥ−ＳＩＧＢ符号化構造は、本明細書で説明した実施形態のうちのいずれとも組み合わせて使われ得る。たとえば、単一コードブロック符号化構造は、図８のＨＥ−ＳＩＧＢ符号化構造８００などのシーケンシャルＨＥ−ＳＩＧＢ符号化構造と組み合わせて使われ得る。本実施形態では、図９のパディング９１９の後、２０ＭＨｚチャネル９０１上の別個のコードブロックが、例示的な８０ＭＨｚチャネルの第４の２０ＭＨｚチャネル用に符号化され得る（たとえば、図８の周波数ブロック８１０および８２０のシーケンシャル構造と同様）。
【００８２】
[0088]第１および第３の２０ＭＨｚチャネルの共通部分は一緒に組み合わされてもよく、第１および第３の２０ＭＨｚチャネルの専用部分は、上述したように一緒に組み合わされてよい。この場合、共通部分９０２または９５２の後のＣＲＣは、ＰＰＤＵ周波数ＢＷに依存して異なり得る。他の実施形態では、２０ＭＨｚチャネルすべて（たとえば、図６の８０ＭＨｚ周波数ＢＷ中の２０ＭＨｚチャネル６０１〜６０４）の共通部分すべてが、一緒に符号化され得る。さらに、いくつかの態様では、２０ＭＨｚチャネルすべて（たとえば、図６の８０ＭＨｚ周波数ＢＷ中の２０ＭＨｚチャネル６０１〜６０４）の専用部分／内容すべてが、一緒に符号化され得る。これらの実施形態では、共通部分サイズが周波数ＢＷに基づいて変わらないので、第１のＣＲＣのロケーションは、周波数ＢＷに基づいて異なるものにならない。
【００８３】
[0089]いくつかの実施形態では、１つまたは複数のチャネルが、ＳＴＡが復号することも１つまたは複数のチャネルを介して送信することもできないような大量の干渉を受ける場合がある。図１０は、８０ＭＨｚ周波数帯域幅の１つの２０ＭＨｚチャネルが過度の干渉または干渉レベルを有し、通信が可能でない、異なるシナリオの図１０００である。８０ＭＨｚチャネルは、１次、２次、第３および第４の２０ＭＨｚチャネルを備える。シナリオ１において図１０に示すように、２次２０ＭＨｚチャネルは通信が可能でない。シナリオ２において、第３の２０ＭＨｚチャネルは通信が可能でない。シナリオ３において、第４の２０ＭＨｚチャネルは通信が可能でない。追加シナリオも可能である。たとえば、複数のチャネルが、通信が不可能な場合がある（すなわち、破壊されている）。
【００８４】
[0090]１次４０ＭＨｚチャネルは、ＰＰＤＵ周波数ＢＷ全体用のＨＥ−ＳＩＧＢフィールドを復号するのに使うことができないので、シナリオ１の実施形態は、ＨＥ−ＳＩＧＢへのより高い影響を有し得る。他の２０Ｍｈｚチャネル（たとえば、第３および第４）を破壊すると、それらのチャネルにおいてＨＥ−ＳＩＧＢ内容が削減されるので、より小さい影響が出る。たとえば、より小さい数のチャネルについての情報が、ＳＴＡによって処理される必要があり得る。
【００８５】
[0091]いくつかの実施形態では、第２の２０ＭＨｚチャネルを破壊することは禁止され得る。第３および第４の２０ＭＨｚ帯域のみを破壊することが許可され得る。いくつかの態様では、２次２０ＭＨｚチャネルにおいて過度の干渉または干渉レベルがある場合、ＰＰＤＵ周波数ＢＷは、１次２０ＭＨｚチャネルまで削減される
[0092]他の実施形態では、受信機ＳＴＡは、別個の２０ＭＨｚチャネル中にあって、必ずしも１次２０ＭＨｚを含む４０ＭＨｚ中にはないＨＥ−ＳＩＧＢを復号する。どのチャネルが復号されるべきであるかは、様々なやり方で示され得る。たとえば、チャネルボンディングが、ＳＩＧＡフィールド（たとえば、図４のＨＥ−ＳＩＧＡ４５０）中でシグナリングされ得る。他の態様では、ＳＩＧＡフィールドの前に復号された初期ビットが、２次２０ＭＨｚそれとも第４の２０ＭＨｚが復号されるべきであるかを示し得る。さらに、ＰＰＤＵ周波数ＢＷにおけるユーザの数は、この場合、制限されない。たとえば、ＭＣＳ０レートでの１６個のユーザが、各８０ＭＨｚ用にサポートされ得る。
【００８６】
[0093]他の実施形態では、チャネルボンディングに対処するために、受信側ＳＴＡが１次４０Ｍｈｚのみを復号するように、ＨＥ−ＳＩＧＢ構造を修正することが可能であり得る。たとえば、第２の２０ＭＨｚが破壊されると、情報はすべて、１次２０ＭＨｚチャネル中で送信され得る。いくつかの態様では、全データを、１次チャネルを介して送信すると、ＨＥ−ＳＩＧＢ符号化構造に影響し得る。たとえば、第１のＨＥ−ＳＩＧＢ符号化構造７００において、共通部分のサイズは変更される場合があり、コードブロックの数は増大し得る。第２のＨＥ−ＳＩＧＢ符号化構造８００において、共通または専用部分のサイズに対する変更はなくてよいが、ＳＴＡは、追加の２０ＭＨｚ周波数ブロックを復号する必要があり得る。第３のＨＥ−ＳＩＧＢ符号化構造９００において、単一コードブロック構造サイズは影響されなくてよい。本実施形態では、ＳＴＡは、チャネルボンディング指示に基づいて内容を解析する必要がある。いくつかの態様では、ＳＩＧＢシンボルの総数がＭＣＳ０レートにおいて１６に制限される場合、ユーザの数が制限され得る。
【００８７】
[0094]いくつかの実施形態では、ＨＥ−ＳＩＧＢのＭＣＳは、異なるＭＣＳレートで送信され得る。いくつかの態様では、２０ＭＨｚごとのＭＣＳが可能である（たとえば、２０ＭＨｚチャネルのすべての共通および専用部分が同じＭＣＳを有する）。異なる２０ＭＨｚチャネルは、異なるＭＣＳレートを有し得る。２０ＭＨｚチャネル用の特定のＭＣＳレートは、ＳＩＧＡフィールド中で示され得る。いくつかの態様では、ＳＩＧＡフィールド中のＭＣＳビットの数は、異なるＭＣＳレートを示すために倍にされる。
【００８８】
[0095]いくつかの態様では、複数のＳＴＡに送られるブロードキャスト／マルチキャスト送信があり得る。いくつかの実施形態では、複数のユーザに宛てられた送信用の専用または共通ＳＴＡ  ＩＤを指定することが可能であり得る。意図されたユーザは、ＭＡＣヘッダにより、送信がユーザを意図していることを見分けるか、または決定するであり得る。たとえば、意図されたユーザ用のＳＴＡ  ＩＤがＭＡＣヘッダ中に配置されている場合である。
【００８９】
[0096]いくつかの態様では、ＲＵ割振りにおいてギャップが存在し得る。割り振られていないＲＵ用の専用ＳＴＡ  ＩＤを指定することが望ましい場合がある。いくつかの実施形態では、ＲＵシグナリング中ですべての可能ギャップを構成すると、ＲＵ割振りテーブルを大きくし、実装に適さないものにすることになる。ある代替では、ＳＴＡがギャップをスキップしてもよいギャップを識別するための別個のテーブルを有することが可能であり得る。このような代替は、ＲＵ割振りにおけるギャップの見込みによっては、より効率的であり得る。
【００９０】
[0097]図１１は、図１のワイヤレス通信システム１００内で利用され得るワイヤレス通信の例示的な方法のフローチャート１１００を示す。この方法は、図２に示されるワイヤレスデバイス２０２のような、本明細書で説明されるデバイスによって全体または一部が実装され得る。本明細書では、図示された方法について、図１に関して上記で説明したワイヤレス通信システム１００、ならびに図４〜図５に関して上記で説明したパケット４００および４０１に関して説明するが、図示された方法は、本明細書で説明する別のデバイス、または（ＳＴＡ１０６および／もしくはＡＰ１０４などの）任意の他の好適なデバイスによって実装され得ることを、当業者は諒解されよう。本明細書では、図示された方法について、特定の順序に関して説明するが、様々な実施形態では、本明細書のブロックは異なる順序で実施されるか、または省略され得、さらなるブロックが追加され得る。
【００９１】
[0098]最初に、ブロック１１０５において、ワイヤレスデバイスが、複数の受信デバイスへの送信用に、プリアンブルフィールドを備えるパケットを生成し、プリアンブルフィールドは信号（ＳＩＧ）フィールドを備える。
【００９２】
[0099]次に、ブロック１１１０において、ワイヤレスデバイスは、周波数帯域幅の各チャネル用のＳＩＧフィールドの第１の部分の内容を符号化し、第１の部分は、すべての受信デバイスについての情報を備える。
【００９３】
[00100]次いで、ブロック１１１５において、ワイヤレスデバイスは、周波数帯域幅の各チャネル用のＳＩＧフィールドの第２の部分の内容を符号化し、第２の部分は１つまたは複数のコードブロックを備え、１つまたは複数のコードブロックは、複数の受信デバイスの各受信デバイスについての情報を含む。
【００９４】
[00101]いくつかの実施形態では、ワイヤレス通信のための装置は、本明細書に記載するいくつかの実施形態に従って、方法５００の機能のうちの１つまたは複数を実施することができる。装置は、信号を受信するための手段のための手段を備え得る。いくつかの実施形態において、受信するための手段は、受信機２１２、プロセッサ２０４、アンテナ２１６、または減衰器２２０（図２）によって実装され得る。特定の選択において、受信するための手段は、ブロック５０５（図５）の機能を実施するように構成され得る。装置は、受信信号に基づいて第１の減衰信号を生成するための手段を備え得る。いくつかの実施形態において、第１の減衰信号を生成するための手段は、受信機２１２、プロセッサ２０４、または減衰器２２０（図２）によって実装され得る。いくつかの実施形態において、第１の減衰信号を生成するための手段は、ブロック５１０（図５）の機能を実施するように構成され得る。
【００９５】
[00102]装置は、複数の受信デバイスへの送信用に、プリアンブルフィールドを備えるパケットを生成するための手段をさらに備えることができ、プリアンブルフィールドは信号（ＳＩＧ）フィールドを備える。いくつかの実施形態において、複数の受信デバイスへの送信用に生成するための手段は、送信機２１０、受信機２１２、プロセッサ２０４、ＤＳＰ２２０、および／またはＨＥＷプロセッサ２２４（図２）によって実装され得る。いくつかの実施形態では、生成するための手段は、ブロック１１０５（図１１）の機能を実施するように構成され得る。
【００９６】
[00103]装置は、周波数帯域幅の各チャネル用のＳＩＧフィールドの第１の部分の内容を符号化するための手段をさらに備えることができ、第１の部分は、すべての受信デバイスについての情報を備える。いくつかの実施形態において、ＳＩＧフィールドの第１の部分の内容を符号化するための手段は、送信機２１０、受信機２１２、プロセッサ２０４、ＤＳＰ２２０、および／またはＨＥＷプロセッサ２２４（図２）によって実装され得る。いくつかの実施形態では、ＳＩＧフィールドの第１の部分の内容を符号化するための手段は、ブロック１１１０（図１１）の機能を実施するように構成され得る。
【００９７】
[00104]装置は、周波数帯域幅の各チャネル用のＳＩＧフィールドの第２の部分の内容を符号化するための手段をさらに備えることができ、第２の部分は１つまたは複数のコードブロックを備える。いくつかの実施形態において、ＳＩＧフィールドの第２の部分の内容を符号化するための手段は、送信機２１０、受信機２１２、プロセッサ２０４、ＤＳＰ２２０、および／またはＨＥＷプロセッサ２２４（図２）によって実装され得る。いくつかの実施形態では、ＳＩＧフィールドの第２の部分の内容を符号化するための手段は、ブロック１１１５（図１１）の機能を実施するように構成され得る。
【００９８】
[00105]情報および信号は様々な異なる技術および技法のいずれかを使って表され得ることを、当業者は理解されよう。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【００９９】
[00106]本明細書で使用されるインターフェースという用語は、２つ以上のデバイスを一緒に接続するように構成されたハードウェアまたはソフトウェアを指すことができる。たとえば、インターフェースは、プロセッサまたはバスの一部であり得、デバイス間での情報またはデータの通信を可能にするように構成され得る。インターフェースは、チップまたは他のデバイスに統合され得る。たとえば、いくつかの実施形態では、インターフェースは、あるデバイスからの情報または通信を別のデバイスにおいて受信するように構成された受信機を備えることができる。（たとえば、プロセッサまたはバスの）インターフェースは、フロントエンドデバイスもしくは別のデバイスによって処理される情報もしくはデータを受信することができ、または受信された情報を処理することができる。いくつかの実施形態では、インターフェースは、情報またはデータを別のデバイスに送信または通信するように構成された送信機を備えることができる。したがって、インターフェースは、情報もしくはデータを送信することができ、または（たとえば、バスを介した）送信のために出力する情報もしくはデータを準備することができる。
【０１００】
[00107]本明細書で使用される「決定すること」という用語は、幅広い様々なアクションを包含する。たとえば、「決定すること」は、算出すること、計算すること、処理すること、導出すること、調査すること、探索すること（たとえば、テーブル、データベース、または別のデータ構造の中で探索すること）、確認することなどを含み得る。また、「決定すること」は、受信すること（たとえば、情報を受信すること）、アクセスすること（たとえば、メモリ中のデータにアクセスすること）などを含み得る。さらに、「決定すること」は、解決すること、選択すること、選ぶこと、確立することなどを含み得る。さらに、本明細書で使用される「チャネル幅」は、特定の態様では周波数帯域幅を包含し得、または周波数帯域幅とも呼ばれることもある。
【０１０１】
[00108]本明細書で使用される、項目のリスト「のうちの少なくとも１つ」に言及する語句は、単一のメンバーを含む、それらの項目の任意の組合せを指す。例として、「ａ、ｂ、またはｃのうちの少なくとも１つ」は、ａと、ｂと、ｃと、ａ−ｂと、ａ−ｃと、ｂ−ｃと、ａａと、ｂｂと、ｃｃと、ａ−ｂ−ｃとを包含することが意図されている。
【０１０２】
[00109]上記で説明した方法の様々な動作は、様々なハードウェア構成要素および／もしくはソフトウェア構成要素、回路、ならびに／またはモジュールなどの、その動作を実施することが可能な任意の適切な手段によって実施され得る。一般に、図に示すどの動作も、その動作を実施することが可能な対応する機能的手段によって実施され得る。
【０１０３】
[00110]したがって、いくつかの態様は、本明細書で提示された動作を実施するためのコンピュータプログラム製品を備え得る。たとえば、そのようなコンピュータプログラム製品は、本明細書で説明した動作を実施するために１つまたは複数のプロセッサによって実行可能である命令をその上に記憶した（および／または符号化した）コンピュータ可読媒体を備え得る。いくつかの態様では、コンピュータプログラム製品は、パッケージング材料を含む場合がある。
【０１０４】
[00111]本開示で説明された実装形態への様々な変更は当業者には容易に明らかになり得、本明細書で定義された一般原理は、本開示の趣旨または範囲から逸脱することなく他の実装形態に適用され得る。したがって、本開示は、本明細書で示された実装形態に限定されることを意図せず、本明細書で開示される特許請求の範囲、原理および新規の特徴に一致する、最も広い範囲を与えられるべきである。「例示的」という単語は、本明細書ではもっぱら「例、事例、または例示として機能すること」を意味するために使用される。本明細書で「例示的」として説明されるいかなる実装形態も、必ずしも他の実装形態よりも好ましいか、または有利であると解釈されるべきではない。
【０１０５】
[00112]また、別個の実装形態の文脈において本明細書で説明したいくつかの特徴は、単一の実装形態において組合せで実装され得る。逆に、単一の実装形態の文脈で説明された様々な特徴は、複数の実装形態において別々に、または任意の適切な部分的な組合せで実装され得る。さらに、特徴は、いくつかの組合せで働くものとして上記で説明され、初めにそのように請求されることさえあるが、請求される組合せからの１つまたは複数の特徴は、場合によってはその組合せから削除され得、請求される組合せは、部分組合せ、または部分組合せの変形形態を対象とし得る。
【０１０６】
[00113]上記で説明した方法の様々な動作は、様々なハードウェアおよび／またはソフトウェア構成要素、回路、および／またはモジュールなど、それらの動作を実施することが可能な任意の好適な手段によって実施され得る。概して、図に示されているどの動作も、その動作を実施することが可能な対応する機能的手段によって実施され得る。
【０１０７】
[00114]本開示に関連して説明した様々な例示的な論理ブロック、モジュール、および回路は、本明細書で説明した機能を実施するように設計された、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、またはそれらの任意の組合せによって実装または実施され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。
【０１０８】
[00115]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、またはコンピュータ可読媒体を介して送信され得る。コンピュータ可読媒体は、コンピュータ記憶媒体と、ある場所から別の場所へのコンピュータプログラムの転送を円滑にする任意の媒体を含む通信媒体の両方を含む。記憶媒体は、コンピュータによってアクセスされ得る利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のプログラムコードを搬送もしくは記憶するために使われ得、コンピュータによってアクセスされ得る、任意の他の媒体を含むことができる。また、任意の接続が、コンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を含むことができる。加えて、いくつかの態様では、コンピュータ可読媒体は一時的コンピュータ可読媒体（たとえば、信号）を含むことができる。上記の組合せもコンピュータ可読媒体の範囲内に含まれ得る。
【０１０９】
[00116]本明細書で開示する方法は、説明した方法を達成するための１つまたは複数のステップまたはアクションを含む。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【０１１０】
[00117]したがって、いくつかの態様は、本明細書で提示された動作を実施するためのコンピュータプログラム製品を備え得る。たとえば、そのようなコンピュータプログラム製品は、本明細書で説明された動作を実行するために１つまたは複数のプロセッサによって実行可能である命令をその上に記憶した（および／または符号化した）コンピュータ可読媒体を備え得る。いくつかの態様では、コンピュータプログラム製品は、パッケージング材料を含む場合がある。
【０１１１】
[00118]さらに、本明細書に記載された方法と技法とを実施するためのモジュールおよび／または他の適切な手段は、適用可能な場合、ユーザ端末および／または基地局によってダウンロードおよび／または他の方法で取得され得ることを諒解されたい。たとえば、そのようなデバイスは、本明細書で説明する方法を実施するための手段の転送を容易にするために、サーバに結合され得る。代替的に、本明細書で説明された様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。さらに、本明細書で説明する方法および技法をデバイスに提供するための任意の他の好適な技法が使用され得る。
【０１１２】
[00119]特許請求の範囲は、上記で示した厳密な構成および構成要素に限定されないことを理解されたい。上記の方法および装置の構成、動作および詳細において、特許請求の範囲から逸脱することなく、様々な改変、変更および変形が行われ得る。
【０１１３】
[00120]上記は本開示の態様を対象とするが、それの基本的範囲から逸脱することなく本開示の他の態様およびさらなる態様が考案され得、それの範囲は以下の特許請求の範囲によって決定される。
【図１】
2018532285.tif 000008
【図２】
2018532285.tif 000009
【図３】
2018532285.tif 000010
【図４】
2018532285.tif 000011
【図５Ａ】
2018532285.tif 000012
【図５Ｂ】
2018532285.tif 000013
【図６】
2018532285.tif 000014
【図７】
2018532285.tif 000015
【図８】
2018532285.tif 000016
【図９】
2018532285.tif 000017
【図１０】
2018532285.tif 000018
【図１１】
2018532285.tif 000019
【国際調査報告】
2018532285.tif 000020
2018532285.tif 000021
2018532285.tif 000022